(57)【特許請求の範囲】
【請求項１】
空きビン等を回収したゴミ袋を破袋工程へと搬送する搬送用コンベヤの一端部の上位にゴミ袋の貯留ホッパを配設し、該貯留ホッパの下部にはゴミ袋が通過できる間隙を設けて所定の角度に傾斜させかつ貯留ホッパ内の最下部のゴミ袋を支持するゴミ袋切り出し板を配設すると共に、該ゴミ袋切り出し板を傾斜方向に揺動自在とし、駆動装置にて前記ゴミ袋切り出し板を揺動させることにより貯留ホッパ内の最下部のゴミ袋を揺さぶりほぐしながら切り出し可能とするゴミ袋切り出し手段を配設したことを特徴とするゴミ袋の処理装置。
【請求項２】
前記搬送用コンベヤのゴミ袋の破袋位置の上位に吸引口を臨ませた吸引ダクトと、該吸引ダクトに連結してゴミ袋を回収する回収サイクロンと、該回収サイクロンの排気口に連結して吸気を行う排風機と、回収サイクロンの下位にあってゴミ袋を収納する集袋室とを備えると共に、前記回収サイクロンの排気側にはゴミ袋の流出を防止する袋吸引防止手段を配設したことを特徴とする請求項１記載のゴミ袋の処理装置。
【発明の詳細な説明】
【０００１】
【発明の属する技術分野】
本発明は、空きビン等を回収したゴミ袋を破袋し、内容物とゴミ袋とを分離処理する装置に関する。
【０００２】
【従来の技術】
従来、空きビン等の回収工場では回収したゴミ袋を破袋し、内容物とゴミ袋とを分離してから内容物を種類別に選別することが行われているが、内容物とゴミ袋とを分離するために、先ず、ゴミ袋を貯留ホッパに一旦貯留し、該貯留ホッパの下位に設置した搬送用コンベヤを低速度にて駆動することによってゴミ袋を搬送コンベヤ上に引き出し、次に、その搬送コンベヤ上で作業者がカッター等によりゴミ袋を切り裂き、内容物を取り出したゴミ袋を側においた集袋かごに投入して回収し、内容物だけを搬送用コンベヤによって次の選別工程へと送り込んでいる。
【０００３】
【発明が解決しようとする課題】
しかしながら、上記の従来装置は貯留ホッパ中のゴミ袋を搬送コンベヤで受ける構造となっているために、ゴミ袋が貯留ホッパ出口付近で絡み合って詰まれば搬送コンベヤでは引き出すことができず、分離作業を中断して詰まったものを除去する作業に手を取られることが多々あり、また空きビンも破損することが多い。また、作業者は流れてくるゴミ袋をカッター等により切り裂いてゴミ袋だけを取り除いて集袋かごに投入して回収する作業も行っており、作業者の作業負担が大きくて作業能率が悪いものであった。
【０００４】
本発明は上記の点に鑑み、空きビン等を回収したゴミ袋とその内容物とを分離する作業工程を能率よく行うことができるゴミ袋の処理装置を提供することを課題とする。
【０００５】
【課題を解決するための手段】
本発明は上記の課題を解決するために、請求項１記載のゴミ袋の処理装置においては、空きビン等を回収したゴミ袋を破袋工程へと搬送する搬送用コンベヤの一端部の上位にゴミ袋の貯留ホッパを配設し、該貯留ホッパの下部にはゴミ袋が通過できる間隙を設けて所定の角度に傾斜させかつ貯留ホッパ内の最下部のゴミ袋を支持するゴミ袋切り出し板を配設すると共に、該ゴミ袋切り出し板を傾斜方向に揺動自在とし、駆動装置にて前記ゴミ袋切り出し板を揺動させることにより貯留ホッパ内の最下部のゴミ袋を揺さぶりほぐしながら切り出し可能とするゴミ袋切り出し手段を配設したことを特徴としている。
【０００６】
また、請求項２記載のゴミ袋の処理装置においては、前記搬送用コンベヤのゴミ袋の破袋位置の上位に吸引口を臨ませた吸引ダクトと、該吸引ダクトに連結してゴミ袋を回収する回収サイクロンと、該回収サイクロンの排気口に連結して吸気を行う排風機と、回収サイクロンの下位にあってゴミ袋を収納する集袋室とを備えると共に、前記回収サイクロンの排気側にはゴミ袋の流出を防止する袋吸引防止手段を配設したことを特徴としている。
【０００７】
【発明の実施の形態】
本発明に係る請求項１記載のゴミ袋の処理装置にあっては、ゴミ袋を破袋分離工程に送り込むために、搬送用コンベヤを駆動しながらゴミ袋の貯留ホッパ下部に配設したゴミ袋切り出し手段を駆動してゴミ袋を受けているゴミ袋切り出し板をその傾斜方向に沿って揺動させる。これによって、貯留ホッパに貯留されたゴミ袋の内、ゴミ袋切り出し板が受ける最下部付近のゴミ袋はゴミ袋切り出し板の揺動に伴って揺さぶられながら傾斜面に沿って前方へと押し出される。貯留ホッパ出口ではゴミ袋が詰まりそうになるが、このゴミ袋切り出し板の揺さぶりによってほぐされながらスムーズに切り出されていく。これによって、空きビンが破損したり、また貯留ホッパ出口にゴミ袋が詰まったりすることが少なくなってゴミ袋の破袋分離作業の中断も少なく、またゴミ袋の除去作業に手を取られたりすることもなくて作業の能率性が高まる。
【０００８】
また、請求項２記載のゴミ袋の処理装置にあっては、ゴミ袋の破袋位置にてゴミ袋をカッターで切り裂き、ゴミ袋のみを持ちあげて吸引ダクトの吸引口のところにあてがえば、ゴミ袋は吸引ダクト内へと吸引されて回収サイクロンへと導かれ、この回収サイクロンで回収されて集袋室に収納される。これによって、作業者はゴミ袋を集袋かごにいちいち投入する動作をしなくても吸引ダクトの吸引口のところに持ち上げてあてがうだけでよいので作業労力が軽減されて作業の能率性も高まる。
【０００９】
【実施例】
以下、本発明の実施例を図面に基づいて説明する。
【００１０】
図中の１は空きビン等を回収したゴミ袋を破袋してゴミ袋と内容物を分離する工程の処理装置であって、搬送コンベヤ２の基部に跨がせるように配設したフレーム３の上部に空きビン等を回収したゴミ袋を一旦貯留する貯留ホッパ４を配設している。
【００１１】
貯留ホッパ４の下位にはゴミ袋を所定量ずつ切り出すゴミ袋切り出し装置５が配設してある。該ゴミ袋切り出し装置５は傾斜させたゴミ袋切り出し板６を傾斜方向に揺動自在としたもので、貯留ホッパ４の下端部にゴミ袋が通過できる間隙を設けてゴミ袋切り出し板６を傾斜させて配設し、ゴミ袋切り出し板６の下面に一対の軸受７を前後に配設する一方、ゴミ袋切り出し板６の側方に立設した支持板８の側面に一対の軸受９を前後に配設し、それぞれの軸受７、９に水平方向に軸体１０、１１を回転自在に軸着し、更に、前記軸体１０、１１を連結材１２により連結してゴミ袋切り出し板６を前後に揺動自在に支持している。
【００１２】
また、ゴミ袋切り出し板６下位のフレーム３上には固定材（図示せず）により軸受１３を支持し、該軸受１３に回転自在に軸着した軸体１４に回転円板１５を固着して回転自在とすると共に、ゴミ袋切り出し板６の下面の中央部付近に固着した一対の軸受１６にて軸体１７を回転自在に軸支し、該軸体１７に揺動杆１８の一端部を連結すると共に、他端部を回転円板１５の円周部付近に回転自在に軸着し、回転円板１５の回転に伴って揺動杆１８が往復運動するようにしている。
【００１３】
そして、前記回転円板１５下位のフレーム３上には軸受１９を配設し、該軸受け１９に回転自在に取り付けた軸体２０にスプロケット２１を固着する一方、前記回転円板１５側の軸体１４にスプロケット２２を固着し、前記スプロケット２１とスプロケット２２とをチェーン２３により連結している。
【００１４】
また、フレーム３上に配設したモータ２４のスプロケット２５と前記軸体２０の先端部に固着したスプロケット２６とをチェーン２７により連結し、モータ２４の駆動により回転円板１５を回転させ、回転円板１５の円周部に軸着した揺動杆１８を往復運動させることによって揺動杆１８の先端に取り付けたゴミ袋切り出し板６を傾斜方向に揺動させるようにしている。
【００１５】
また、前記貯留ホッパ４の側面にはゴミ袋をスムーズに払い出させるために貯留ホッパ４を振動させる振動機２８を配設している。
【００１６】
前記搬送コンベヤ２の上位には破袋ステージ２９で破袋作業をする作業者数に合わせた適宜数の吸引口３０を開口させ、該吸引口３０はゴミ袋を回収する回収サイクロン３１の吸気口３２に吸気ダクト３３を介して連結しており、また、回収サイクロン３１の上端部の排気口３４を排気ダクト３５を介して排風機３６に連結している。排気ダクト３５には排風機３６の吸気量を調整する吸気調整ダンパー３７を介装している。
【００１７】
回収サイクロン３１の内側では吸気口３２より吸気して回収サイクロン３１の内周壁に沿って旋回しながら下降した空気流が回収サイクロン３１中央部を上昇して排気口３４に向かう排気流が生じるようになっており、排気口３４付近には図６に示すように、排気口３４の周囲から適宜長さの鎖３８を適宜間隔で垂下してゴミ袋が排気流に伴って下流へと流出しないように袋吸引防止手段を配設している。
【００１８】
この袋吸引防止手段は、前記のように鎖３８を垂下したものだけに限らず、ゴミ袋が排気流に伴って下流へと流出しない構造であれば良く、例えば、パンチングメタルや金網を筒状に形成したものでも良く、種々の形状のものが採用できる。
【００１９】
また、回収サイクロン３１の下位には回収サイクロン３１より落下するゴミ袋を受け入れる集袋室３９を配設し、該集袋室３９にはゴミ袋を収納する集袋箱４０を配備して開閉扉４１から出し入れ自在としている。
【００２０】
しかして、上記のゴミ袋の処理装置を運転する場合、貯留ホッパ４に空きビン等を回収したゴミ袋を投入して貯留し、排風機３６を駆動して吸引口３０から回収サイクロン３１へと吸気させながら搬送コンベヤ２を駆動する。
【００２１】
次いで、貯留ホッパ４下位のモータ２４を駆動し、ゴミ袋切り出し装置５の回転円板１５を回転させてその円周部に取り付けた揺動杆１８を揺動させながら往復運動させてゴミ袋切り出し板６を前後に揺動させる。ゴミ袋切り出し板６が揺動すると貯留ホッパ４下部にあってゴミ袋切り出し板６に支持されるゴミ袋はゴミ袋切り出し板６の揺動に伴って揺さぶられほぐされながら傾斜に沿って前方へと切り出されていく。このように、貯留ホッパ４出口付近のゴミ袋を揺さぶりほぐしながら切り出すので、空きビンの破損やゴミ袋の詰まりは少なくなる。
【００２２】
搬送コンベヤ２上に送り出されたゴミ袋は破袋ステージ２９に待機している作業者によってカッター等で破袋され、中身を取り出したゴミ袋を作業者が上位に配設している吸引口３０にあてがうように持っていくと吸い込まれて回収サイクロン３１へと導入される。
【００２３】
回収サイクロン３１内に導入されたゴミ袋は内周壁に沿って旋回しながら自重によって下位の集袋箱４０へと落下していくが、排気口３４に向かう排気流に乗って上昇しようとするゴミ袋もあるが、袋吸引防止手段である鎖３８によって流出を妨げられて集袋箱４０へと落下していく。
集袋箱４０に所定量のゴミ袋が堆積すると集袋室３９の開閉扉４１を開放し、集袋箱４０を取り出して処分工程に運搬する。そして、ゴミ袋が破袋除去された後の空き缶等の内容物は搬送コンベヤ２によって種類別に選別する次の工程へと送られていく。
【００２４】
このように、破袋後のゴミ袋の回収は作業者が破袋位置で破袋したゴミ袋を吸引口３０にあてがうように持っていくだけで回収サイクロン３１へと吸引されて集袋箱４０に自動的に回収することができ、作業者はゴミ袋を集袋かごにいちいち投入する動作をしなくてもよいので作業労力が軽減されて作業の能率性も高まる。
【００２５】
【発明の効果】
以上のように本発明に係る請求項１記載のゴミ袋の処理装置にあっては、空きビン等を回収したゴミ袋を破袋工程へと搬送する搬送用コンベヤの一端部の上位にゴミ袋の貯留ホッパを配設し、該貯留ホッパの下部にはゴミ袋が通過できる間隙を設けて所定の角度に傾斜させかつ貯留ホッパ内の最下部のゴミ袋を支持するゴミ袋切り出し板を配設すると共に、該ゴミ袋切り出し板を傾斜方向に揺動自在とし、駆動装置にて前記ゴミ袋切り出し板を揺動させることにより貯留ホッパ内の最下部のゴミ袋を揺さぶりほぐしながら切り出し可能とするゴミ袋切り出し手段を配設したので、貯留ホッパからゴミ袋がスムーズに切り出され、貯留ホッパ出口にゴミ袋が詰まったりすることも少なくなってゴミ袋の破袋分離作業の中断もなく、また除去作業に手を取られたりすることもなくて作業の能率性が高まる。
【００２６】
また、請求項２記載のゴミ袋の処理装置にあっては、前記搬送用コンベヤのゴミ袋の破袋位置の上位に吸引口を臨ませた吸引ダクトと、該吸引ダクトに連結してゴミ袋を回収する回収サイクロンと、該回収サイクロンの排気口に連結して吸気を行う排風機と、回収サイクロンの下位にあってゴミ袋を収納する集袋室とを備えると共に、前記回収サイクロンの排気側にはゴミ袋の流出を防止する袋吸引防止手段を配設したので、作業者はゴミ袋を集袋かごにいちいち投入する動作をしなくても吸引ダクトの吸気口のところに持ち上げてあてがうだけでよいので作業労力が軽減されて作業の能率性が高まる 。
【図面の簡単な説明】
【図１】本発明に係るゴミ袋の処理装置の一実施例を示す正面図である。
【図２】図１の平面図である。
【図３】図１の貯留ホッパ部分の一部切り欠き拡大詳細図である。
【図４】図３の側面図である。
【図５】図４の要部の拡大図である。
【図６】図１の回収サイクロン部分の一部切り欠き拡大図である。
【符合の説明】
１…選別処理装置                    ２…搬送コンベヤ
４…貯留ホッパ                      ５…ゴミ袋切り出し装置
６…ゴミ袋切り出し板              １５…回転円板
１８…揺動杆                        ２４…モータ
３１…回収サイクロン                ３６…排風機
３９…集袋室                        ４０…集袋箱
【図１】
0004283923.tif 000002
【図２】
0004283923.tif 000003
【図３】
0004283923.tif 000004
【図４】
0004283923.tif 000005
【図５】
0004283923.tif 000006
【図６】
0004283923.tif 000007